【手続補正書】
【提出日】平成17年10月20日(2005.10.20)
【手続補正１】
【補正対象書類名】明細書
【補正対象項目名】特許請求の範囲
【補正方法】変更
【補正の内容】
【特許請求の範囲】
【請求項１】  円環状で使用時に所定方向にのみ回転するプーリと、このプーリの中心部に挿入されて使用時にこの所定方向にのみ回転する回転軸との間で、この所定方向の動力のみを伝達する為、この回転軸の外周面と上記プーリの内周面との間の環状空間内に、軸方向に関して互いに間隔をあけて配置された１対のサポート軸受と、この環状空間内でこれら１対のサポート軸受同士の間に設けられた一方向クラッチとを備え、この一方向クラッチは、上記プーリ及び上記回転軸が同速で上記所定方向に回転する際に繋がれてこれらプーリと回転軸との間で動力を伝達するが、このプーリが上記所定方向に、この回転軸よりも高速で回転する場合に空転して、このプーリからこの回転軸への動力の伝達を行なわないものであり、上記各サポート軸受は、外輪と、内輪と、これら外輪の内周面に形成された外輪軌道と内輪の外周面に形成された内輪軌道との間に転動自在に設けられた複数の転動体と、これら各転動体を設置した軸受空間の両端開口のうち、少なくとも上記一方向クラッチと反対側開口を塞ぐ為、その外周縁を上記外輪に係止したシールリングとを備えたものである一方向クラッチ内蔵型プーリ装置に於いて、このシールリングは、円輪状の芯金により弾性材を補強したものであって、この弾性材の内径寄り部分はこの芯金の内周縁よりも径方向内方に突出して、少なくとも上記外輪の静止時及び低速回転時に、上記内輪の一部表面に全周に亙って当接若しくは摺接するのに対して、少なくとも上記外輪の高速回転時に上記内輪の表面から離隔するものである事を特徴とする一方向クラッチ内蔵型プーリ装置。
【請求項２】  外輪の軸方向に関して、シールリングを構成する弾性材の内周縁部に設けた少なくとも１本のシールリップが、このシールリングを構成する芯金の内周縁よりも転動体側に延出しており、このシールリップの先端縁が、内輪の外周面中間部に形成された、この内輪の端面に向かう程外径が小さくなる方向に傾斜した傾斜段部若しくはこの傾斜段部よりも上記内輪の端面寄りに存在する円筒面部に、少なくとも上記外輪の静止時及び低速回転時に、全周に亙って当接若しくは摺接している、請求項１に記載した一方向クラッチ内蔵型プーリ装置。
【請求項３】  シールリップの先端部分に、このシールリップの中間部よりも肉厚のウェイト部を設けている、請求項２に記載した一方向クラッチ内蔵型プーリ装置。
【請求項４】  外輪の軸方向に関して、シールリングを構成する弾性材の内周縁部で、このシールリングを構成する芯金の内周縁よりも径方向内方に突出した延出部の内周縁部に設けたシールリップが、この延出部よりも転動体側に延出しており、このシールリップの先端縁が、内輪の外周面中間部に形成された、この内輪の端面に向かう程外径が小さくなる方向に傾斜した傾斜段部に、少なくとも上記外輪の静止時及び低速回転時に、全周に亙って当接若しくは摺接しており、上記延出部の内周縁部から上記シールリップと反対側に第二の延出部が延出しており、この第二の延出部の軸方向寸法が上記シールリップの軸方向寸法よりも大きい、請求項１に記載した一方向クラッチ内蔵型プーリ装置。
【請求項５】  第二の延出部の先端部分に、この第二の延出部の中間部よりも肉厚のウェイト部を設けている、請求項４に記載した一方向クラッチ内蔵型プーリ装置。
【請求項６】  外輪の軸方向に関して、シールリングを構成する弾性材の内周縁部に設けたシールリップが、このシールリングを構成する芯金の内周縁よりも転動体側に延出しており、上記シールリップの先端縁が、内輪の外周面中間部に形成された、この内輪の端面に向かう程外径が小さくなる方向に傾斜した傾斜段部に、少なくとも上記外輪の静止時及び低速回転時に、全周に亙って当接若しくは摺接しており、上記弾性材の内周縁部で上記芯金の内周縁よりも径方向内方に突出した延出部の内周縁部に設けた第二のシールリップが、この延出部よりも転動体と反対側に延出しており、この第二のシールリップの先端縁が、上記傾斜段部よりも上記内輪の端面寄りに存在する円筒面部に、少なくとも上記外輪の静止時及び低速回転時に、全周に亙って、直接又はこの円筒面部に外嵌固定された他の部材を介して当接若しくは摺接しており、この第二のシールリップの先端縁が、少なくとも上記外輪の高速回転時に上記円筒面部から離隔するものである、請求項１に記載した一方向クラッチ内蔵型プーリ装置。
【請求項７】  シールリングに対して転動体と反対側である軸受空間の開口端部に、非接触式のシールドリングを設けた、請求項１〜６の何れかに記載した一方向クラッチ内蔵型プーリ装置。
【請求項８】  軸受空間の両端開口のうち一方向クラッチ側の開口を、非接触式のシールドリングにより塞いだ、請求項１〜７の何れかに記載した一方向クラッチ内蔵型プーリ装置。
【手続補正２】
【補正対象書類名】明細書
【補正対象項目名】００２５
【補正方法】変更
【補正の内容】
【００２５】
【課題を解決するための手段】
本発明の一方向クラッチ内蔵型プーリ装置は、前述した従来から知られている一方向クラッチ内蔵型プーリ装置と同様に、プーリと、１対のサポート軸受と、一方向クラッチとを備える。そして、このプーリと、このプーリの中心部に挿入されて使用時にこの所定方向にのみ回転する回転軸との間で、この所定方向の動力のみを伝達する為に使用する。
このうちのプーリは、外周面に無端ベルトを掛け渡し自在としたもので、円環状で使用時に所定方向にのみ回転する。
又、上記各サポート軸受は、上記回転軸の外周面と上記プーリの内周面との間の環状空間内に、軸方向に関して互いに間隔をあけて配置されている。
又、上記一方向クラッチは、上記環状空間内でこれら１対のサポート軸受同士の間に設けられている。そしてこの一方向クラッチは、上記プーリ及び上記回転軸が同速で上記所定方向に回転する際に繋がれて、これらプーリと回転軸との間で動力を伝達するが、このプーリが上記所定方向に、この回転軸よりも高速で回転する場合に空転して、このプーリからこの回転軸への動力の伝達を行なわないものである。
又、上記各サポート軸受は、上記プーリに内嵌固定される外輪と、上記回転軸に対し固定の部分に外嵌固定される内輪と、これら外輪の内周面に形成された外輪軌道と内輪の外周面に形成された内輪軌道との間に転動自在に設けられた複数の転動体と、これら各転動体を設置した軸受空間の両端開口のうち、少なくとも上記一方向クラッチと反対側開口を塞ぐ為、その外周縁を上記外輪に係止したシールリングとを備えたものである。
【手続補正３】
【補正対象書類名】明細書
【補正対象項目名】００２８
【補正方法】変更
【補正の内容】
【００２８】
【発明の実施の形態】
図１〜２は、請求項１、２、３、８に対応する、本発明の実施の形態の第１例を示している。尚、本例の特徴は、プーリ素子９の両端部内周面とスリーブ１０の両端部外周面との間に設ける、それぞれがサポート軸受である１対の玉軸受１１、１１のシール装置の構造を工夫する事により、少なくとも上記プーリ素子９が高速回転（例えば２０００min-1 以上、或は４０００min-1 以上で回転）する際に、このプーリ素子９の回転抵抗を低減する点にある。その他の部分の構成及び作用は、前述の図１２〜１４に示した従来構造と同様であるから、同等部分には同一符号を付して、重複する説明を省略し、以下、本例の特徴部分を中心に説明する。
【手続補正４】
【補正対象書類名】明細書
【補正対象項目名】符号の説明
【補正方法】変更
【補正の内容】
【符号の説明】
１    エンジン
２    クランクシャフト
３    従動プーリ
４    スタータモータ
５    回転駆動軸
６    駆動プーリ装置
７    無端ベルト
８    一方向クラッチ内蔵型プーリ装置
９    プーリ素子
１０    スリーブ
１１    玉軸受
１２    ローラクラッチ
１３    大径部
１４    小径部
１５    外輪軌道
１６    外輪
１７    内輪軌道
１８    内輪
１９    玉
２０ａ、２０ｂ  シールリング
２１    軸受空間
２２、２２ａ  芯金
２３    弾性材
２４    係止溝
２５    シールリップ
２６    傾斜段部
２７    クラッチ用内輪
２８    クラッチ用外輪
２９    カム面
３０    凹部
３１    ローラ
３２    クラッチ用保持器
３３    リム部
３４    柱部
３５    ポケット
３６ａ、３６ｂ  内向鍔部
３７    ばね
３８、３８ａ、３８ｂ、３８ｃ、３８ｄ、３８ｅ、３８ｆ  シールリング
３９    シールドリング
４０、４０ａ、４０ｂ、４０ｃ  シールリップ
４１、４１ａ、４１ｂ  ウェイト部
４２    円筒面部
４３、４３ａ  延出部
４４    第二の延出部
４５    第二のシールリップ
４６、４６ａ  シールドリング
４７    小径段部
４８    第三のシールリップ
４９    円筒部
５０    円輪部
【手続補正５】
【補正対象書類名】図面
【補正対象項目名】図１
【補正方法】変更
【補正の内容】
【図１】
2004144252.tif 000001
【手続補正６】
【補正対象書類名】図面
【補正対象項目名】図９
【補正方法】変更
【補正の内容】
【図９】
2004144252.tif 000002